(57)【要約】【課題】小型基地局が故障等により通信できなくなると、当該小型基地局がカバーする通信エリア内で通信を行うことができなくなってしまう場合があった。【解決手段】複数の基地局を制御する基地局制御装置であって、複数の基地局の異常を検知する異常検知部と、異常検知部が一の基地局の異常を検知した場合に、複数の基地局のうちの一の基地局以外の他の基地局の出力電波を変更させる基地局制御部とを備える基地局制御装置を提供する。【選択図】図３
2015192405.tif 000002
【特許請求の範囲】
【請求項１】
複数の基地局を制御する基地局制御装置であって、
前記複数の基地局の異常を検知する異常検知部と、
前記異常検知部が一の基地局の異常を検知した場合に、前記複数の基地局のうちの前記一の基地局以外の他の基地局の出力電波を変更させる基地局制御部と
を備える基地局制御装置。
【請求項２】
前記基地局制御部は、前記異常検知部が前記一の基地局の異常を検知した場合に、前記一の基地局のカバーエリアをカバーさせるべく、前記一の基地局に隣接する前記他の基地局の出力電波を変更させる、請求項１に記載の基地局制御装置。
【請求項３】
前記複数の基地局のそれぞれは、異なる方向に電波を発信する複数のアンテナを有し、
前記基地局制御部は、前記他の基地局が有する複数のアンテナの少なくとも一つの出力電波強度を変更させる、請求項１又は２に記載の基地局制御装置。
【請求項４】
前記複数のアンテナは、前記異なる方向からの電波を受信し、
前記基地局制御部は、前記異常検知部が前記一の基地局の異常を検知した場合に、前記他の基地局が有する複数のアンテナのうち、前記一の基地局により発信される電波の受信強度が他のアンテナよりも高いアンテナによる電波出力強度を増加させる、請求項３に記載の基地局制御装置。
【請求項５】
前記異常検知部は、前記複数の基地局の負荷が予め定められた閾値を超えたこと、前記複数の基地局の異常切断率が予め定められた閾値を超えたこと及び前記複数の基地局の故障の少なくともいずれかを検知する、請求項１から４のいずれか一項に記載の基地局制御装置。
【請求項６】
前記異常検知部により異常が検知された前記一の基地局の位置情報を取得する位置情報取得部と、
前記位置情報取得部が取得した前記位置情報に基づいて、前記他の基地局を特定する基地局特定部と
をさらに備え、
前記基地局制御部は、前記異常検知部が前記一の基地局の異常を検知した場合に、前記基地局特定部が特定した前記他の基地局の出力電波を変更させる、請求項１から５のいずれか一項に記載の基地局制御装置。
【請求項７】
前記複数の基地局はスモールセル基地局であり、
前記基地局制御装置は、
前記複数の基地局のカバーエリアが、マクロセル基地局によりカバーされているか否かを判定するカバー判定部
をさらに備え、
前記基地局制御部は、前記一の基地局のカバーエリアが前記マクロセル基地局によりカバーされている場合には、前記他の基地局の出力電波を変更させず、前記一の基地局のカバーエリアが前記マクロセル基地局によりカバーされていない場合に、前記他の基地局の出力電波を変更させる、請求項１から６のいずれか一項に記載の基地局制御装置。
【請求項８】
コンピュータを、請求項１から７のいずれか一項に記載の基地局制御装置として機能させるためのプログラム。
【発明の詳細な説明】
【技術分野】
【０００１】
本発明は、基地局制御装置及びプログラムに関する。
【背景技術】
【０００２】
従来、フェムトセル基地局等の小型基地局が知られていた（例えば、特許文献１参照）。
［先行技術文献］
［特許文献］
［特許文献１］特開２０１１−１７６５８８号公報
【発明の概要】
【発明が解決しようとする課題】
【０００３】
小型基地局が故障等により通信できなくなった場合であっても、当該小型基地局によってカバーされていたエリア内において通信可能とできることが望ましい。
【課題を解決するための手段】
【０００４】
本発明の第１の態様によれば、複数の基地局を制御する基地局制御装置であって、複数の基地局の異常を検知する異常検知部と、異常検知部が一の基地局の異常を検知した場合に、複数の基地局のうちの一の基地局以外の他の基地局の出力電波を変更させる基地局制御部とを備える基地局制御装置が提供される。
【０００５】
上記基地局制御装置において、基地局制御部は、異常検知部が一の基地局の異常を検知した場合に、一の基地局のカバーエリアをカバーさせるべく、一の基地局に隣接する他の基地局の出力電波を変更させてよい。上記基地局制御装置において、複数の基地局のそれぞれは、異なる方向に電波を発信する複数のアンテナを有してよく、基地局制御部は、他の基地局が有する複数のアンテナの少なくとも一つの出力電波強度を変更させてよい。上記基地局制御装置において、複数のアンテナは、異なる方向からの電波を受信してよく、基地局制御部は、異常検知部が一の基地局の異常を検知した場合に、他の基地局が有する複数のアンテナのうち、一の基地局により発信される電波の受信強度が他のアンテナよりも高いアンテナによる電波出力強度を増加させてよい。上記基地局制御装置において、異常検知部は、複数の基地局の負荷が予め定められた閾値を超えたこと、複数の基地局の異常切断率が予め定められた閾値を超えたこと及び複数の基地局の故障の少なくともいずれかを検知してよい。
【０００６】
上記基地局制御装置は、異常検知部により異常が検知された一の基地局の位置情報を取得する位置情報取得部と、位置情報取得部が取得した位置情報に基づいて、他の基地局を特定する基地局特定部とをさらに備えてよく、基地局制御部は、異常検知部が一の基地局の異常を検知した場合に、基地局特定部が特定した他の基地局の出力電波を変更させてよい。上記基地局制御装置において、複数の基地局はスモールセル基地局であってよく、基地局制御装置は、複数の基地局のカバーエリアが、マクロセル基地局によりカバーされているか否かを判定するカバー判定部をさらに備えてよく、基地局制御部は、一の基地局のカバーエリアがマクロセル基地局によりカバーされている場合には、他の基地局の出力電波を変更させず、一の基地局のカバーエリアがマクロセル基地局によりカバーされていない場合に、他の基地局の出力電波を変更させてよい。
【０００７】
本発明の第２の態様によれば、コンピュータを、上記基地局制御装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】通信システムの通信環境の一例を概略的に示す。
【図２】フェムトが故障した場合における基地局制御装置の制御状態の一例を概略的に示す。
【図３】基地局制御装置の機能構成の一例を概略的に示す。
【図４】基地局情報テーブルの一例を概略的に示す。
【図５】基地局制御装置による処理の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る通信システム１００の通信環境の一例を概略的に示す。通信システム１００は、基地局制御装置４０を備える。基地局制御装置４０は、通信網３０に接続された複数の基地局を制御する。通信網３０は、例えば、インターネットである。基地局制御装置４０は、通信網３０に接続された複数のスモールセル基地局を制御してよい。例えば、基地局制御装置４０は、図１に示す通り、通信網３０に接続された複数のフェムトセル基地局１０を制御する。図１では、複数のフェムトセル基地局１０の一例として、フェムト１０−１、フェムト１０−２及びフェムト１０−３を図示している。
【００１２】
フェムト１０−１は、異なる方向に電波を発信するアンテナ１０−１１、アンテナ１０−１２、アンテナ１０−１３及びアンテナ１０−１４を備える。通信エリア１０−１１０は、アンテナ１０−１１によってカバーされる通信エリアを示す。通信エリア１０−１２０は、アンテナ１０−１２によってカバーされる通信エリアを示す。通信エリア１０−１３０は、アンテナ１０−１３によってカバーされる通信エリアを示す。通信エリア１０−１４０は、アンテナ１０−１４によってカバーされる通信エリアを示す。
【００１３】
フェムト１０−２は、異なる方向に電波を発信するアンテナ１０−２１、アンテナ１０−２２、アンテナ１０−２３及びアンテナ１０−２４を備える。通信エリア１０−２１０は、アンテナ１０−２１によってカバーされる通信エリアを示す。通信エリア１０−２２０は、アンテナ１０−２２によってカバーされる通信エリアを示す。通信エリア１０−２３０は、アンテナ１０−２３によってカバーされる通信エリアを示す。通信エリア１０−２４０は、アンテナ１０−２４によってカバーされる通信エリアを示す。
【００１４】
フェムト１０−３は、異なる方向に電波を発信するアンテナ１０−３１、アンテナ１０−３２、アンテナ１０−３３及びアンテナ１０−３４を備える。通信エリア１０−３１０は、アンテナ１０−３１によってカバーされる通信エリアを示す。通信エリア１０−３２０は、アンテナ１０−３２によってカバーされる通信エリアを示す。通信エリア１０−３３０は、アンテナ１０−３３によってカバーされる通信エリアを示す。通信エリア１０−３４０は、アンテナ１０−３４によってカバーされる通信エリアを示す。なお、フェムト１０−１、フェムト１０−２及びフェムト１０−３が備えるアンテナ数は例示であり、異なる数であってもよい。
【００１５】
本実施形態に係る基地局制御装置４０は、複数のフェムトセル基地局１０の異常を検知する。フェムトセル基地局１０の異常とは、フェムトセル基地局１０が稼働できない状態となったこと、フェムトセル基地局１０の負荷が予め定められた閾値を超えたこと及びフェムトセル基地局１０の異常切断率が予め定められた閾値を超えたこと等である。
【００１６】
そして、基地局制御装置４０は、複数のフェムトセル基地局１０のうちの一のフェムトセル基地局１０の異常を検知した場合に、複数のフェムトセル基地局１０のうちの当該一のフェムトセル基地局１０以外の他のフェムトセル基地局１０の出力電波を変更させる。例えば、基地局制御装置４０は、複数のフェムトセル基地局１０のうちの一のフェムトセル基地局１０の異常を検知した場合に、当該一のフェムトセル基地局１０のカバーエリアをカバーさせるべく、当該一のフェムトセル基地局１０に隣接する他のフェムトセル基地局１０の出力電波を変更させる。一のフェムトセル基地局１０に隣接する他のフェムトセル基地局１０とは、例えば、一のフェムトセル基地局１０の位置を中心とした予め定められた範囲内に位置するフェムトセル基地局１０である。
【００１７】
図２は、フェムト１０−２が故障した場合における基地局制御装置４０の制御状態の一例を概略的に示す。基地局制御装置４０は、フェムト１０−２の異常を検知した場合に、フェムト１０−２に隣接するフェムト１０−１及びフェムト１０−３の出力電波を変更させる。
【００１８】
基地局制御装置４０は、図２に示す通り、フェムト１０−１が有する複数のアンテナのうち、異常を検知したフェムト１０−２により発信される電波の受信強度が他のアンテナよりも高いアンテナであるアンテナ１０−１２による電波出力強度を増加させてよい。また、基地局制御装置４０は、図２に示す通り、フェムト１０−３が有する複数のアンテナのうち、フェムト１０−２により発信される電波の受信強度が他のアンテナよりも高いアンテナであるアンテナ１０−３４による電波出力強度を増加させてよい。これにより、異常が発生したフェムト１０−２のカバーエリアの少なくとも一部を、フェムト１０−１及びアンテナ１０−３によってカバーさせることができる。
【００１９】
図３は、基地局制御装置４０の機能構成の一例を概略的に示す。基地局制御装置４０は、基地局情報格納部４０２、異常検知部４０４、位置情報取得部４０６、基地局特定部４０８及び基地局制御部４１０を備える。
【００２０】
基地局情報格納部４０２は、複数のフェムトセル基地局１０の基地局情報４５０を格納する。基地局情報４５０は、例えば、フェムトセル基地局１０の固有の情報であるフェムト識別情報と、フェムトセル基地局１０の異常状態を示す異常情報と、フェムトセル基地局１０の緯度経度情報と、フェムトセル基地局１０に在圏している移動局の数を示す在圏数情報と、フェムトセル基地局１０が備える複数のアンテナ毎の電波出力状況を示す電波出力情報と、フェムトセル基地局１０が備える複数のアンテナ毎の電波受信情報と、マクロセル基地局によってカバーされているか否かを示すマクロカバー状況と、フェムトセル基地局１０の電源の状態を示す電源情報とを含む。電波受信情報は、複数のアンテナのそれぞれが受信する電波を送信するフェムトセル基地局１０のフェムト識別情報を含む。複数のアンテナが同一のフェムトセル基地局１０からの電波を受信する場合、受信電波強度が最も高いアンテナに対して、当該フェムトセル基地局１０の識別情報が対応付けられてよい。
【００２１】
異常検知部４０４は、複数のフェムトセル基地局１０の異常を検知する。異常検知部４０４は、例えば、複数のフェムトセル基地局１０から異常信号を受信することによって、異常信号を送信したフェムトセル基地局１０の異常を検知する。異常信号には、フェムトセル基地局１０の固有の情報であるフェムト識別情報が含まれる。また、異常検知部４０４は、定期的に複数のフェムトセル基地局１０に対して、データの到達性を確認するパケットを送信すること等によって、複数のフェムトセル基地局１０の異常を検知してもよい。基地局情報格納部４０２は、フェムトセル基地局１０の異常を検知した場合、検知した異常を示す異常情報を、当該フェムトセル基地局１０のフェムト識別情報に対応付けて、基地局情報格納部４０２に格納させてよい。
【００２２】
位置情報取得部４０６は、異常検知部４０４により異常が検知されたフェムトセル基地局１０の位置情報を取得する。位置情報は、例えば、緯度経度情報である。位置情報取得部４０６は、異常が検知されたフェムトセル基地局１０に対応付けて格納された緯度経度情報を、基地局情報格納部４０２から取得してよい。基地局情報格納部４０２は、フェムトセル基地局１０の契約時に契約者によって登録された設置住所から変換された緯度経度情報を格納してよい。また、基地局情報格納部４０２は、フェムトセル基地局１０がＧＰＳ（Ｇｌｏｂａｌ  Ｐｏｓｉｔｉｏｎｉｎｇ  Ｓｙｓｔｅｍ）機能を備えている場合、フェムトセル基地局１０から受信した緯度経度情報を格納してよい。
【００２３】
基地局特定部４０８は、異常が検知されたフェムトセル基地局１０のカバーエリアをカバーさせる、異常が検知されたフェムトセル基地局１０に隣接するフェムトセル基地局１０を特定する。基地局特定部４０８は、位置情報取得部４０６が取得した位置情報と、基地局情報格納部４０２に格納された複数のフェムトセル基地局１０の位置情報とに基づいて、異常が検知されたフェムトセル基地局１０に隣接するフェムトセル基地局１０を特定してよい。
【００２４】
基地局特定部４０８は、例えば、位置情報取得部４０６が取得した緯度経度情報に対して＋−（プラスマイナス）０・００１５度の緯度経度の範囲を決定して、当該緯度経度の範囲に含まれるフェムトセル基地局１０を特定する。＋−（プラスマイナス）する緯度経度は任意に設定されてよい。
【００２５】
なお、基地局情報格納部４０２には、複数のフェムトセル基地局１０のそれぞれに対して隣接するフェムトセル基地局１０が予め登録されていてよく、基地局特定部４０８は、当該登録情報を参照することによって、異常が検知されたフェムトセル基地局１０に隣接するフェムトセル基地局１０を特定してもよい。
【００２６】
また、基地局特定部４０８は、基地局情報格納部４０２に格納された基地局情報４５０を参照して、基地局情報４５０に登録された電波受信情報に、異常が検知されたフェムトセル基地局１０のフェムト識別情報が登録されたフェムトセル基地局１０を、異常が検知されたフェムトセル基地局１０に隣接するフェムトセル基地局１０として特定してもよい。
【００２７】
基地局制御部４１０は、基地局特定部４０８が特定したフェムトセル基地局１０の出力電波を変更させる。基地局制御部４１０は、異常検知部４０４によって異常が検知されたフェムトセル基地局１０のカバーエリアをカバーさせるべく、基地局特定部４０８が特定したフェムトセル基地局１０の出力電波を変更させてよい。例えば、基地局制御部４１０は、基地局特定部４０８が特定したフェムトセル基地局１０が有する複数のアンテナのうち、異常が検知されたフェムトセル基地局１０により発信される電波の受信強度が他のアンテナよりも高いアンテナによる電波出力強度を増加させる。基地局制御部４１０は、異常が解消された場合、基地局特定部４０８が特定したフェムトセル基地局１０の出力電波を、変更前の状態に戻させてよい。
【００２８】
基地局制御部４１０は、異常が検知されたフェムトセル基地局１０のカバーエリアが、マクロセル基地局によってカバーされているか否かに基づいて、基地局特定部４０８が特定したフェムトセル基地局１０の出力電波を制御してもよい。例えば、基地局制御部４１０は、異常が検知されたフェムトセル基地局１０のカバーエリアがマクロセル基地局によってカバーされている場合には、基地局特定部４０８が特定したフェムトセル基地局１０の出力電波を変更させず、カバーされていない場合に、基地局特定部４０８が特定したフェムトセル基地局１０の出力電波を変更させる。
【００２９】
図４は、基地局情報４５０の一例を概略的に示す。基地局情報４５０は、フェムト識別情報欄４５２、異常情報欄４５４、緯度経度情報欄４５６、在圏数情報欄４５８、電波出力情報欄４６０、電波受信情報欄４６２、マクロカバー状況欄４６４及び電源情報欄４６６を含む。基地局情報４５０がこれらの項目すべてを含むことは必須とは限らない。
【００３０】
フェムト識別情報欄４５２は、フェムト識別情報を含む。異常情報欄４５４は、フェムトセル基地局１０の異常状態を示す異常状態を含む。異常情報欄４５４には、正常又は異常が登録されてよい。緯度経度情報欄４５６は、フェムトセル基地局１０の緯度経度情報を含む。在圏数情報欄４５８は、フェムトセル基地局１０に在圏している移動局の数を含む。
【００３１】
電波出力情報欄４６０は、フェムトセル基地局１０が有する複数のアンテナ毎の電波出力状況を含む。電波出力情報欄４６０には、フェムトセル基地局１０が有する複数のアンテナ毎の電波出力強度が登録されてよい。電波受信情報欄４６２は、フェムトセル基地局１０が有する複数のアンテナのそれぞれが受信する電波を送信するフェムトセル基地局１０のフェムト識別情報を含む。複数のアンテナが同一のフェムトセル基地局１０からの電波を受信する場合、受信電波強度が最も高いアンテナに対して、当該フェムトセル基地局１０の識別情報が対応付けられてよい。
【００３２】
マクロカバー状況欄４６４は、フェムトセル基地局１０のカバーエリアがマクロセル基地局によってカバーされているか否かを示すマクロカバー状況を含む。マクロカバー状況欄４６４には、○又は×が登録されてよい。電源情報欄４６６は、フェムトセル基地局１０の電源の状態を示す電源情報が含まれる。電源情報欄４６６には、電源オンを示す○又は電源オフを示す×が登録されてよい。
【００３３】
異常検知部４０４は、電源情報欄４６６に基づいて、フェムトセル基地局１０が異常であるか否かを判定してよい。例えば、異常検知部４０４は、電源情報欄４６６が電源オフを示す場合に、フェムトセル基地局１０が異常であると判定してよい。なお、異常検知部４０４は、電源オフの継続時間に従って、フェムトセル基地局１０が異常であるか否かを判定してもよい。例えば、異常検知部４０４は、電源オフの状態が予め定められた期間を超えた場合に、フェムトセル基地局１０が異常であると判定する。これにより、例えば、フェムトセル基地局１０の使用者が外出するときにフェムトセル基地局１０の電源をオフにした場合などに、フェムトセル基地局１０が異常であると判定してしまうことを防止できる。また、異常検知部４０４は、電源のオンオフの周期を監視して、定期的な電源オフの場合にはフェムトセル基地局１０の異常と判定せず、不定期な電源オフと判定できた場合に、フェムトセル基地局１０の異常と判定してもよい。
【００３４】
図４は、フェムト識別情報：Ａ００２で識別されるフェムトセル基地局１０への電源供給が停止した場合に、Ａ００１及びＡ００３で識別されるフェムトセル基地局１０の出力電波が変更された場合を例示している。図４に示す例では、Ａ００１で識別されるフェムトセル基地局１０のＡｎｔｅｎｎａ２の電波出力強度が、−５０ｄＢｍからー４５ｄＢｍに変更されている。また、Ａ００３で識別されるフェムトセル基地局１０のＡｎｔｅｎｎａ４の電波出力強度が−５０ｄＢｍからー４５ｄＢｍに変更されている。
【００３５】
基地局制御部４１０は、予め定められた変位レベルに従って、電波出力強度を変更してよい。例えば、基地局制御部４１０は、予め登録された通常時の電波出力強度と、他のフェムトセル基地局１０のカバーエリアをカバーするときの電波出力強度とに従って、フェムトセル基地局１０の出力電波強度を変更してよい。また、基地局制御部４１０は、予め登録された、通常時の電波出力強度に対する、他のフェムトセル基地局１０のカバーエリアをカバーするときの電波出力強度の変位量に従って、フェムトセル基地局１０の出力電波強度を変更してもよい。
【００３６】
基地局制御部４１０は、他のフェムトセル基地局１０のカバーエリアをカバーするときの電波出力強度を、予め実験しておくことによって定めておいてよい。例えば、基地局制御部４１０は、Ａ００２で識別されるフェムトセル基地局１０が正常であるときに、Ａ００１で識別されるフェムトセル基地局１０のＡｎｔｅｎｎａ２の電波出力強度を段階的に変化させる。そして、基地局制御部４１０は、フェムトセル基地局１０のＡｎｔｅｎｎａ２の電波出力強度を段階的に変化させつつ、Ａ００２で識別されるフェムトセル基地局１０による、フェムトセル基地局１０からの電波受信強度をＡ００２で識別されるフェムトセル基地局１０から受信する。これにより、基地局制御部４１０は、Ａ００１で識別されるフェムトセル基地局１０のＡｎｔｅｎｎａ２の電波出力強度をどの程度に変更させれば、Ａ００２で識別されるフェムトセル基地局１０が配置された位置までをカバーできるかを実験的に算出することができる。
【００３７】
なお、フェムトセル基地局１０の位置が変更された場合、フェムトセル基地局１０の向きが変更された場合、複数のフェムトセル基地局１０の間に新たな建造物が建造されること等によって複数のフェムトセル基地局１０の間の電波状況が変化する場合がある。そこで、基地局制御部４１０は、定期的に複数のフェムトセル基地局１０の電波状況を確認することによって、電波受信情報欄４６２に含まれる情報及び他のフェムトセル基地局１０のカバーエリアをカバーするときの電波出力強度等を定期的に更新してよい。
【００３８】
基地局情報４５０は、図４に示す項目以外の項目を含んでもよい。例えば、基地局情報４５０は、フェムトセル基地局１０が設置された高さを示す高さ情報を含む。この場合、基地局特定部４０８は、緯度経度情報及び高さ情報に基づいて、一のフェムトセル基地局１０に隣接するフェムトセル基地局１０を特定してよい。例えば、基地局特定部４０８は、一のフェムトセル基地局１０からの緯度経度における距離が略同一の複数のフェムトセル基地局１０があった場合に、一のフェムトセル基地局１０の高さ情報が示す高さにより近い高さに設置されたフェムトセル基地局１０を隣接するフェムトセル基地局１０として特定する。
【００３９】
また、基地局情報４５０は、複数のフェムトセル基地局１０がＬＥＤを備えている場合に、ＬＥＤの状態を示すＬＥＤ情報を含んでもよい。この場合、基地局制御部４１０は、フェムトセル基地局１０の異常状態に応じて、フェムトセル基地局１０のＬＥＤを制御してよい。例えば、フェムトセル基地局１０が異常状態である場合に、異常状態を示すようにＬＥＤを発光させてよい。これにより、フェムトセル基地局１０の周囲に対して、フェムトセル基地局１０が異常状態であることを報知させることができる。
【００４０】
図５は、基地局制御装置４０による処理の流れの一例を概略的に示す。図５は、一のフェムトセル基地局１０の異常を検知した場合の処理の流れを概略的に示す。図５に示す各処理は、基地局制御装置４０が備える制御部が主体となって実行される。
【００４１】
ステップ５０２（ステップをＳと省略して記載する場合がある。）では、異常検知部４０４が一のフェムトセル基地局１０の異常を検知する。Ｓ５０４では、基地局制御部４１０が、Ｓ５０２において異常が検知されたフェムトセル基地局１０を特定する。基地局制御部４１０は、特定したフェムトセル基地局１０に対応する異常情報を基地局情報格納部４０２に更新させる。
【００４２】
Ｓ５０６では、基地局制御部４１０が、Ｓ５０２で検知した異常に対する対応の要否を判定する。基地局制御部４１０は、Ｓ５０４で特定されたフェムトセル基地局１０のカバーエリアがマクロセル基地局によってカバーされている場合、対応否と判定し、カバーされていない場合に、対応要と判定する。また、基地局制御部４１０は、Ｓ５０４で特定されたフェムトセル基地局１０の動作が停止した場合に、停止による通信の影響が有るか否かを判定して、影響が有る場合に、対応要と判定し、影響が無い場合に、対応否と判定してもよい。基地局制御部４１０は、例えば、Ｓ５０４で特定したフェムトセル基地局１０の在圏数がゼロであった場合、影響が無いと判定する。対応要と判定した場合、Ｓ５０８に進み、対応否と判定した場合、処理が終了する。
【００４３】
Ｓ５０８では、基地局特定部４０８が、Ｓ５０４で特定されたフェムトセル基地局１０に隣接するフェムトセル基地局１０を特定する。Ｓ５１０では、基地局制御部４１０が、Ｓ５０４で特定されたフェムトセル基地局１０のカバーエリアをカバーさせるべく、Ｓ５０８で特定されたフェムトセル基地局１０の出力電波強度を変更させる。Ｓ５１２では、基地局制御部４１０が、Ｓ５１０で制御した内容に従って、基地局情報格納部４０２に格納された基地局情報４５０を更新する。そして、処理が終了する。
【００４４】
以上の説明において、基地局制御装置４０の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、基地局制御装置４０として機能してもよい。プログラムは、コンピュータ読み取り可能な媒体又はネットワークに接続された記憶装置から、基地局制御装置４０の少なくとも一部を構成するコンピュータにインストールされてよい。
【００４５】
コンピュータにインストールされ、コンピュータを本実施形態に係る基地局制御装置４０として機能させるプログラムは、ＣＰＵ等に働きかけて、コンピュータを、基地局制御装置４０の各部としてそれぞれ機能させる。これらのプログラムに記述された情報処理は、コンピュータに読込まれることにより、ソフトウエアと基地局制御装置４０のハードウエア資源とが協働した具体的手段として機能する。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００４８】
１０  フェムトセル基地局、１０−１  フェムト、１０−１１  アンテナ、１０−１１０  通信エリア、１０−１２  アンテナ、１０−１２０  通信エリア、１０−１３  アンテナ、１０−１３０  通信エリア、１０−１４  アンテナ、１０−１４０  通信エリア、１０−２  フェムト、１０−２１  アンテナ、１０−２１０  通信エリア、１０−２２  アンテナ、１０−２２０  通信エリア、１０−２３  アンテナ、１０−２３０  通信エリア、１０−２４  アンテナ、１０−２４０  通信エリア、１０−３  フェムト、１０−３１  アンテナ、１０−３１０  通信エリア、１０−３２  アンテナ、１０−３２０  通信エリア、１０−３３  アンテナ、１０−３３０  通信エリア、１０−３４  アンテナ、１０−３４０  通信エリア、３０  通信網、４０  基地局制御装置、１００  通信システム、４０２  基地局情報格納部、４０４  異常検知部、４０６  位置情報取得部、４０８  基地局特定部、４１０  基地局制御部、４５０  基地局情報、４５２  フェムト識別情報欄、４５４  異常情報欄、４５６  緯度経度情報欄、４５８  在圏数情報欄、４６０  電波出力情報欄、４６２  電波受信情報欄、４６４  マクロカバー状況欄、４６６  電源情報欄
【図１】
2015192405.tif 000003
【図２】
2015192405.tif 000004
【図３】
2015192405.tif 000005
【図４】
2015192405.tif 000006
【図５】
2015192405.tif 000007